(57)【要約】【課題】通気性を確保して、遮音性能を高めつつ、部品点数を抑えることができる。【解決手段】建具ユニット３０は、通行空間ＳＡの第二の空間６Ａ側に開閉可能に設けられた第二の建具３１と、通行空間ＳＡの第一の空間７側に設けられるとともに、通行空間ＳＡから利用空間ＴＡまで連続して移動可能とされた第一の建具３２Ａと、を備え、第一の建具３２Ａは、閉状態で通行空間ＳＡ側を閉塞するとともに利用空間ＴＡの少なくとも一部を開放し、開状態で通行空間ＳＡを開放するとともに利用空間ＴＡの少なくとも一部を閉塞することを特徴とする。【選択図】図３
2017066764.tif 000002
【特許請求の範囲】
【請求項１】
第一の空間と該第一の空間に隣接する第二の空間との間に形成され所定の奥行寸法を有する通行空間、及び該通行空間に隣接して前記第一の空間側に設けられた利用空間が配置された建物において、前記通行空間に開閉可能に設けられた建具ユニットであって、
前記通行空間の前記第一の空間側に設けられるとともに、前記通行空間及び前記利用空間を開閉可能とする第一の建具と、
前記通行空間の前記第二の空間側に開閉可能に設けられた第二の建具と、を備え、
前記第一の建具は、閉状態で前記通行空間側を閉塞するとともに前記利用空間の少なくとも一部を開放し、開状態で前記通行空間を開放するとともに前記利用空間の少なくとも一部を閉塞することを特徴とする建具ユニット。
【請求項２】
前記第一の建具は、前記通行空間から前記利用空間まで連続して移動可能とされた引き戸であることを特徴とする請求項１に記載の建具ユニット。
【請求項３】
前記引き戸は、前記通行空間から前記利用空間まで延びるレールに沿って移動可能とされていることを特徴とする請求項２に記載の建具ユニット。
【請求項４】
前記第一の建具は、枠と、枠の内部に配置された建具本体とを有し、
前記建具本体と前記枠または床との間には、通気可能な隙間が形成されていることを特徴とする請求項１から３のいずれか一項に記載の建具ユニット。
【請求項５】
前記利用空間は物品が収納可能な収納部であり、
前記第一の建具は、前記閉状態で前記収納部を開放し、前記開状態で前記収納部を閉塞することを特徴とする請求項１から３のいずれか一項に記載の建具ユニット。
【発明の詳細な説明】
【技術分野】
【０００１】
本発明は、建具ユニットに関するものである。
【背景技術】
【０００２】
一般に、建物において、一の部屋内で発生する音を隣接する他の部屋へ伝えないために、部屋同士をつなぐ通路に防音性の高いドアが設けられることがある。
例えば、ドア枠と、ドア枠に設けられた戸当たりと、戸当たりに取り付けられたパッキンと、ドア枠に蝶番を介して取り付けられたドアと、を備え、ドア枠におけるドアと対向する面及びドアにおけるドア枠と対向する面にグラスウールやウレタン樹脂発泡体等のような多孔質材料の吸音材が設けられた防音ドアが提案されている（下記特許文献１参照）。
また、出入口に、襖と障子とを厚み方向に重ねて配置し、互いに別々に開閉自在とされた扉構造も提案されている（下記特許文献２参照）。
【先行技術文献】
【特許文献】
【０００３】
【特許文献１】特開平１−２３０８８３号公報
【特許文献２】特開平１０−３１７８２４号公報
【発明の概要】
【発明が解決しようとする課題】
【０００４】
しかしながら、上記の特許文献１に記載のような防音ドアでは、パッキンがドアの上下左右の四方に設けられており、ドアとドア枠との間の隙間を閉塞することで遮音性能を確保したものがある。この場合には、ドアとドア枠との隙間が閉塞されているため、ドアの厚み方向に空気が流れず、通気性が低下してしまうという問題点がある。
また、建具を厚み方向に二重に配置して遮音性能を向上させる際には、建具間に空間層を形成するように建具同士を離間して配置することが好ましい。しかしながら、上記の特許文献２に記載の扉構造では、襖と障子とは厚み方向に重ねて配置されているだけであり、その間に空間層がなく、遮音性能に限界があるという問題点がある。
また、居室では、出入口に設けられる建具に隣接して、収納等の空間が設けられることがある。この場合、出入口及び収納それぞれに建具や扉を設けると材料費が嵩んでしまうという問題点がある。
【０００５】
そこで、本発明は、上記事情に鑑みてなされたものであり、通気性を確保して、遮音性能を高めつつ、部品点数を抑えた建具ユニットを提供する。
【課題を解決するための手段】
【０００６】
上記目的を達成するために、本発明は以下の手段を採用している。
すなわち、本発明に係る建具ユニットは、第一の空間と該第一の空間に隣接する第二の空間との間に形成され所定の奥行寸法を有する通行空間、及び該通行空間に隣接して前記第一の空間側に設けられた利用空間が配置された建物において、前記通行空間に開閉可能に設けられた建具ユニットであって、前記通行空間の前記第一の空間側に設けられるとともに、前記通行空間及び前記利用空間を開閉可能とする第一の建具と、前記通行空間の前記第二の空間側に開閉可能に設けられた第二の建具と、を備え、前記第一の建具は、閉状態で前記通行空間側を閉塞するとともに前記利用空間の少なくとも一部を開放し、開状態で前記通行空間を開放するとともに前記利用空間の少なくとも一部を閉塞することを特徴とする。
【０００７】
このように構成された建具ユニットでは、第一の空間と第二の空間との間に形成された通行空間において、第一の空間側には第一の建具が設けられ、第二の空間側には第二の建具が設けられている。第一の建具と第二の建具とは、所定の奥行寸法分離間して配置されているため、その間に空間層が形成され、遮音性能を高めることができる。
また、建具ユニットを構成する建具は、第一の建具及び第二の建具であり防音ドアに限定されないため、建具枠と建具との間等に所定の隙間を設けることができ、通気性を確保することができる。
また、第一の空間側には、通行空間に隣接して利用空間が配置されている。第一の建具は、閉状態で通行空間側を閉塞するとともに利用空間の少なくとも一部を開放し、開状態で通行空間を開放するとともに利用空間の少なくとも一部を閉塞するため、通行空間及び利用空間の両方を開閉する建具として機能する。よって、通行空間の建具と利用空間の建具とを別々に設ける必要がないため、部品点数、部品コストを抑えることができる。
【０００８】
また、本発明に係る建具ユニットは、前記第一の建具は、前記通行空間から前記利用空間まで連続して移動可能とされた引き戸であることが好ましい。
【０００９】
このように構成された建具ユニットでは、第一の建具を通行空間から利用空間まで連続して移動可能であるため、簡易な構成とすることができる。
【００１０】
また、本発明に係る建具ユニットは、前記引き戸は、前記通行空間から前記利用空間まで延びるレールに沿って移動可能とされていてもよい。
【００１１】
このように構成された建具ユニットでは、引き戸は、通行空間から利用空間まで延びるレールに沿って移動可能であるため、スムーズに開閉することができる。
【００１２】
また、本発明に係る建具ユニットは、前記第一の建具は、枠と、枠の内部に配置された建具本体とを有し、前記建具本体と前記枠または床との間には、通気可能な隙間が形成されていてもよい。
【００１３】
このように構成された建具ユニットでは、建具本体と枠または床との間には、通気可能な隙間が形成されているため、当該隙間を空気が通ることで、第一の空間と第二の空間との間で換気がされる。
【００１４】
また、本発明に係る建具ユニットは、前記利用空間は物品が収納可能な収納部であり、
前記第一の建具は、前記閉状態で前記収納部を開放し、前記開状態で前記収納部を閉塞することが好ましい。
【００１５】
このように構成された建具ユニットでは、第一の建具は、閉状態で物品を収納可能な収納部を開放し、開状態で収納部を閉塞するため、収納部の扉として機能する。
【発明の効果】
【００１６】
本発明に係る建具ユニットによれば、通気性を確保して、遮音性能を高めつつ、部品点数を抑えることができる。
【図面の簡単な説明】
【００１７】
【図１】本発明の一実施形態に係る建物の一階平面図である。
【図２】本発明の一実施形態に係る建物の二階平面図である。
【図３】本発明の一実施形態に係る建物におけるリビングと洋室との間に設けられた建具ユニットを説明するための図であって、（ａ）洋室側に設けられた引き戸が閉まった状態の図、（ｂ）洋室側に設けられた引き戸が開いた状態の図である。
【図４】本発明の一実施形態の変形例に係る建具ユニットを示す平面図である。
【図５】本発明の一実施形態の試験例に係るドアの構成を示す平面図である。
【図６】本発明の一実施形態の試験例１〜３に係るドアの遮音性能を示すグラフである。
【発明を実施するための形態】
【００１８】
本発明の一実施形態に係る建物について説明する。
図１は、本発明の一実施形態に係る建物の一階平面図である。図２は、本発明の一実施形態に係る建物の二階平面図である。
図１及び図２において、太線で示されている箇所は壁を示し、この太線間の細線で示されている箇所には窓や建具が設けられていることを示している。
【００１９】
図１に示すように、建物１００の外部には設けられたポーチ１が設けられ、建物１００の一階には、図１に示す紙面左側から順に、玄関２、ホール３が設けられている。ホール３には、トイレ４及び階段下収納５が面して設けられている。また、ホール３から、リビング６Ａ、ダイニング６Ｂ及びキッチン６Ｃが並んだＬ・Ｄ・Ｋ６のリビング６Ａにアクセス可能とされている。また、Ｌ・Ｄ・Ｋ６のリビング６Ａに面して洋室７が設けられている。Ｌ・Ｄ・Ｋ６のダイニング６Ｂに面して階段８及び洗面室９が設けられている。洗面室９には、浴室１０が隣接して設けられている。Ｌ・Ｄ・Ｋ６のキッチン６Ｃには、食品庫１１が隣接して設けられている。
【００２０】
図２に示すように、建物１００の二階には、階段８に面してファミリースペース２１が設けられている。ファミリースペース２１に面して、トイレ２２、シアタールーム２３、洋室２４、バルコニー２５、洋室２６及び洋室２７が設けられている。洋室２６には、Ｗ・Ｉ・Ｃ（ウォークインクローゼット）２８が隣接して設けられている。
【００２１】
上記のように各部屋が配置された建物１００の一階において、リビング６Ａと洋室７との間及びダイニング６Ｂと洗面室９との間には、それぞれ建具が二重に配置された建具ユニット３０，４０が設けられている。また、二階において、ファミリースペース２１とシアタールーム２３との間及びファミリースペース２１と洋室２７との間にも、それぞれ建具ユニット５０，６０が設けられている。
【００２２】
以下、リビング６Ａと洋室７との間に設けられた建具ユニット３０について説明する。
まず、リビング６Ａと洋室７との位置関係について説明する。
図３は、建物１００におけるリビング６Ａと洋室７との間に設けられた建具ユニット３０を説明するための図であって、（ａ）洋室７側に設けられた引き戸３２Ａが閉まった状態の図、（ｂ）洋室７側に設けられた引き戸３２Ａが開いた状態の図である。
図１及び図３に示すように、リビング６Ａと洋室７との間には、これらの部屋を区切る壁部ＷＡが設けられている。また、壁部ＷＡには、直交する仕切り壁ＵＡが設けられている。洋室７とホール３とを区切る壁部３Ａとこの仕切り壁ＵＡとの間には、奥行寸法Ｄ１を有し、人の通行が可能な空間（通行空間）ＳＡが形成されている。この空間ＳＡに建具ユニット３０が設けられ、利用者は建具ユニット３０を開閉することで、リビング６Ａと洋室７との間を行き来することができる。本実施形態では、空間ＳＡは、奥行寸法Ｄ１が芯々で約４５５ｍｍとされ、幅寸法Ｗ１が芯々で約９１０ｍｍとされている。
なお、空間ＳＡの奥行寸法Ｄ１は、利用者が当該空間ＳＡに滞在するものではなく、単に一方の部屋から他方の部屋に通過する程度のものである。
【００２３】
また、洋室７には、壁部ＷＡに面するとともに空間ＳＡに隣接して、衣類、物品等を収納可能なクローゼット（利用空間）ＴＡが設けられている。クローゼットＴＡは、空間ＳＡと略同一の奥行寸法Ｄ１を有している。また、クローゼットＴＡには、内部の空間を仕切る仕切り板７Ａが２枚鉛直面に沿って設けられている。これにより、クローゼットＴＡの内部は、３個の収納空間Ｔ１，Ｔ２，Ｔ３に分割されている。本実施形態では、クローゼットＴＡの幅寸法Ｗ２は、芯々で約２，７３０ｍｍとされている。
【００２４】
次に、空間ＳＡに設けられた建具ユニット３０について説明する。
建具ユニット３０は、片引き戸（第二の建具）３１と、引き戸（第一の建具）３２Ａと、を備えている。
片引き戸３１は、空間ＳＡのリビング６Ａ側に設けられている。リビング６Ａと洋室７との間に設けられた壁部ＷＡに戸袋３３が設けられ、片引き戸３１は開くと戸袋３３に引き込まれるようになっている。本実施形態では、片引き戸３１の幅寸法は、空間ＳＡの幅寸法Ｗ１に対応して、空間ＳＡを閉塞する長さとされている。
【００２５】
洋室７の床及び天井には、空間ＳＡからクローゼットＴＡまで連続して直線状に延びるレール３４が設けられている。レール３４には、３枚の引き戸３２Ａ，３２Ｂ，３２Ｃがスライド可能に、同一鉛直面上に設けられている。図３（ａ）に示すように、引き戸３２Ａは、空間ＳＡ側まで移動可能とされ、空間ＳＡを閉塞する閉状態とすることができる。閉状態において、引き戸３２Ａは、クローゼットＴＡを閉塞せずに開放しているが、図３（ａ）に示すように他の２枚の引き戸３２Ｂ，３２ＣがクローゼットＴＡの２個の収納空間Ｔ１，Ｔ３を閉塞している。また、引き戸３２Ｂをレール３４に沿って移動させれば引き戸３２Ｂで収納空間Ｔ２を閉塞することもできるし、引き戸３２Ｃをレール３４に沿って移動させれば引き戸３２Ｃで収納空間Ｔ２を閉塞することもできる。
また、引き戸３２Ａは、不図示の枠と、枠の内部に配置された建具本体３５と、を有している。建具本体３５と枠または床との間には、通気可能な不図示の数ｍｍ程度の隙間が形成されている。
なお、片引き戸３１と引き戸３２Ａとの離間距離は、通行空間ＳＡの奥行寸法Ｄ１と略同一である。片引き戸３１と引き戸３２Ａとの離間距離は、空間ＳＡからクローゼットＴＡに直接出入りできない距離であって、約１００ｍｍ〜９１０ｍｍが好ましい。
【００２６】
また、図３（ａ）に示す状態から、引き戸３２Ａ，３２Ｂをレール３４に沿って引き戸３２Ｃ側に移動させれば、図３（ｂ）に示すように引き戸３２Ａが空間ＳＡを開放する開状態とすることもできる。開状態において、引き戸３２ＡはクローゼットＴＡのうち収納空間Ｔ１を閉塞し、他の２枚の引き戸３２Ｂ，３２ＣがそれぞれクローゼットＴＡの収納空間Ｔ２，Ｔ３を閉塞している。つまり、引き戸３２Ａ，３２Ｂ，３２Ｃで、クローゼットＴＡを完全に閉塞している。本実施形態では、各引き戸３２Ａ，３２Ｂ，３２Ｃの幅は、クローゼットＴＡの幅寸法約２，７３０ｍｍの１／３に対応しており、３枚の引き戸３２Ａ，３２Ｂ，３２ＣでクローゼットＴＡに納まる長さとされている。
【００２７】
上記の建具ユニット３０では、利用者がリビング６Ａから洋室７に入る際には、片引き戸３１を開けた後に、引き戸３２Ａを開ければよい。逆に、利用者が洋室７からリビング６Ａに入る際には、引き戸３２Ａを開けた後に、片引き戸３１を開ければよい。また、片引き戸３１及び引き戸３２Ａの両方を閉めることで、リビング６Ａと洋室７との間を区切ることができるとともに部屋間の遮音性能を高めることができる。または、片引き戸３１及び引き戸３２Ａの一方を閉めることで、リビング６Ａと洋室７との間を単に区切ることができる。
【００２８】
次に、ダイニング６Ｂと洗面室９との間に設けられた建具ユニット４０について、図１を用いて説明する。
ダイニング６Ｂと洗面室９との間には、これらの部屋を区切る壁部ＷＢが設けられている。壁部ＷＢには、開口（不図示。以下同じ。）が形成されている。開口に連続して、所定の奥行寸法を有し、人の通行が可能な空間（通行空間）ＳＢが形成されている。この空間ＳＢに建具ユニット４０が設けられている。
【００２９】
洗面室９には、壁部ＷＢに面するとともに空間ＳＢに隣接して、物品を収納可能な収納部（利用空間）ＴＢが設けられている。収納部ＴＢと空間ＳＢとの間は、仕切り壁ＵＢで区切られている。収納部ＴＢは、空間ＳＢと略同一の奥行寸法を有している。
【００３０】
建具ユニット４０は、片引き戸（第二の建具）４１と、引き戸（第一の建具）４２と、を備えている。
片引き戸４１は、空間ＳＢのダイニング６Ｂ側に設けられている。ダイニング６Ｂと洗面室９との間に設けられた壁部ＷＢに戸袋４３が設けられ、片引き戸４１は開くと戸袋４３に引き込まれるようになっている。
【００３１】
洗面室９の床及び天井には、空間ＳＢから収納部ＴＢまで連続して直線状に延びるレール（不図示。以下同じ。）が設けられている。レールには、引き戸４２がスライド可能に設けられている。これにより、引き戸４２は、空間ＳＢ側から収納部ＴＢ側まで移動可能とされている。引き戸４２が空間ＳＢ側に配置された閉状態では、引き戸４２は空間ＳＢを閉塞するとともに、収納部ＴＢを完全に開放している。また、引き戸４２をレールに沿って収納部ＴＢ側に移動させた開状態では、引き戸４２は空間ＳＢを開放するとともに、収納部ＴＢを完全に閉塞している。
【００３２】
次に、ファミリースペース２１とシアタールーム２３との間に設けられた建具ユニット５０について説明する。
ファミリースペース２１とシアタールーム２３との間には、これらの部屋を区切る壁部ＷＣが設けられている。壁部ＷＣには、開口（不図示。以下同じ。）が形成されている。開口に連続して、所定の奥行寸法を有し、人の通行が可能な空間（通行空間）ＳＣが形成されている。この空間ＳＣに建具ユニット５０が設けられている。
【００３３】
シアタールーム２３には、壁部ＷＣに面するとともに空間ＳＣに隣接して、物品を収納可能な収納部（利用空間）ＴＣが設けられている。収納部ＴＣと空間ＳＣとの間は、仕切り壁ＵＣで区切られている。収納部ＴＣは、空間ＳＣと略同一の奥行寸法を有している。
【００３４】
建具ユニット５０は、片引き戸（第二の建具）５１と、引き戸（第一の建具）５２と、を備えている。
片引き戸５１は、空間ＳＣのファミリースペース２１側に設けられている。ファミリースペース２１とシアタールーム２３との間に設けられた壁部ＷＣに戸袋５３が設けられ、片引き戸５１は開くと戸袋５３に引き込まれるようになっている。
【００３５】
シアタールーム２３の床及び天井には、空間ＳＣから収納部ＴＣの一部まで連続して直線状に延びるレール（不図示。以下同じ。）が設けられている。レールには、引き戸５２がスライド可能に設けられている。これにより、引き戸５２は、空間ＳＣ側から収納部ＴＣ側に移動可能とされている。引き戸５２が空間ＳＣ側に配置された閉状態では、引き戸５２は空間ＳＣを閉塞するとともに、収納部ＴＣを完全に開放している。また、引き戸５２をレールに沿って収納部ＴＣ側に移動させた開状態では、引き戸５２は空間ＳＣを開放するとともに、収納部ＴＣの一部を閉塞している。
【００３６】
次に、ファミリースペース２１と洋室２７との間に設けられた建具ユニット６０について説明する。
ファミリースペース２１と洋室２７との間には、これらの部屋を区切る壁部ＷＤが設けられている。壁部ＷＤには、開口（不図示。以下同じ。）が形成されている。開口に連続して、所定の奥行寸法を有し、人の通行が可能な空間（通行空間）ＳＤが形成されている。この空間ＳＤに建具ユニット６０が設けられている。
【００３７】
洋室２７には、壁部ＷＤに面するとともに空間ＳＤに隣接して、物品を収納可能な収納部（利用空間）ＴＤが設けられている。収納部ＴＤと空間ＳＤとの間は、仕切り壁ＵＤで区切られている。収納部ＴＤは、空間ＳＤと略同一の奥行寸法を有している。
【００３８】
建具ユニット６０は、片引き戸（第二の建具）６１と、引き戸（第一の建具）６２と、を備えている。
片引き戸６１は、空間ＳＤのファミリースペース２１側に設けられている。ファミリースペース２１と洋室２７との間に設けられた壁部ＷＤに戸袋６３が設けられ、片引き戸６１は開くと戸袋６３に引き込まれるようになっている。
【００３９】
洋室２７の床及び天井には、空間ＳＤから収納部ＴＤまで連続して直線状に延びるレール（不図示。以下同じ。）が設けられている。レールには、引き戸６２がスライド可能に設けられている。これにより、引き戸６２は、空間ＳＤ側から収納部ＴＤ側まで移動可能とされている。引き戸６２が空間ＳＤ側に配置された閉状態では、引き戸６２は空間ＳＤを閉塞するとともに、収納部ＴＤを完全に開放している。また、引き戸６２をレールに沿って収納部ＴＤ側に移動させた開状態では、引き戸６２は空間ＳＤを開放するとともに、収納部ＴＤを完全に閉塞している。
【００４０】
このように構成された建物１００では、第一の空間と第二の空間との間に形成された空間ＳＡ，ＳＢ，ＳＣ，ＳＤにおいて、第二の空間側には片引き戸３１，４１，５１，６１が設けられ、第一の空間側には引き戸３２Ａ，４２，５２，６２が設けられている。片引き戸３１，４１，５１，６１と引き戸３２Ａ，４２，５２，６２とは、所定の奥行寸法分離間して配置されているため、その間に空間層が形成され、遮音性能を高めることができる。
【００４１】
また、建具ユニット３０，４０，５０，６０を構成する建具は、片引き戸３１，４１，５１，６１及び引き戸３２Ａ，４２，５２，６２であり例えば防音ドアに限定されないため、適宜建具の種類を選択でき、建具のデザイン性に幅をもたせることができる。
【００４２】
また、第一の空間側には、空間ＳＡ，ＳＢ，ＳＣ，ＳＤに隣接して、該空間ＳＡ，ＳＢ，ＳＣ，ＳＤと略同一の奥行寸法を有する空間ＴＡ，ＴＢ，ＴＣ，ＴＤが配置されている。引き戸３２Ａ，４２，５２，６２は、空間ＳＡ，ＳＢ，ＳＣ，ＳＤから利用空間ＴＡ，ＴＢ，ＴＣ，ＴＤまで、連続して移動可能であるため、引き戸３２Ａ，４２，５２，６２により連続して面が形成され、見栄えを良好とすることができる。また、引き戸３２Ａ，４２，５２，６２は、一のレールに沿って移動可能とされているため、スムーズに開閉することができる。
【００４３】
また、引き戸３２Ａ，４２，５２，６２は、閉状態で物品を収納可能なクローゼットＴＡ、収納部ＴＢ，ＴＣ，ＴＤを開放し、開状態でクローゼットＴＡ、収納部ＴＢ，ＴＣ，ＴＤを閉塞するため、クローゼット又は収納部の扉としても機能する。よって、空間ＳＡ，ＳＢ，ＳＣ，ＳＤの建具と空間ＴＡ，ＴＢ，ＴＣ，ＴＤの建具とを別々に設ける必要がないため、部品点数、部品コストを抑えることができる。
【００４４】
また、引き戸３２Ａでは、建具本体３５と枠または床との間には、通気可能な数ｍｍ程度の隙間が形成されているため、当該隙間を空気が通ることで、リビング６Ａと洋室７との間で換気がされ、通気性を確保することができる。
【００４５】
また、例えば建具ユニット３０において、遮音性を確保させたい場合には、片引き戸３１と引き戸３２Ａとの両方を閉めておく。また、空間ＳＡの通行性を優先させたい場合には、片引き戸３１のみ（または引き戸３２Ａのみ）を閉めておけばよい。このように、洋室７の利用形態や利用者の要望等に応じて、建具を１枚だけ閉めるか２枚とも閉めるか適宜選択することができる。
【００４６】
（変形例）
次に、上記に示す実施形態の変形例について、主に図４を用いて説明する。
なお、以下の変形例において、前述した実施形態で用いた部材と同一の部材には同一の符号を付して、その説明を省略する。
図４は、本発明の一実施形態の変形例に係る建具ユニットを示す平面図である。
図４に示すように、本変形例において、建具ユニット７０は、トイレ８１とトイレ８１に隣接する廊下８２との間に設けられている。
トイレ８１と廊下８２との間には、これらの空間を区切る壁部ＷＥが設けられている。壁部ＷＥには、開口（不図示。以下同じ。）が形成されている。開口に連続して、所定の奥行寸法を有し、人の通行が可能な空間（通行空間）ＳＥが形成されている。この空間ＳＥに建具ユニット７０が設けられている。
【００４７】
トイレ８１には、壁部ＷＥに面するとともに空間ＳＥに隣接して、物品を収納可能な収納部（利用空間）ＴＥが設けられている。収納部ＴＥと空間ＳＥとの間は、仕切り壁ＵＥで区切られている。収納部ＴＥは、空間ＳＥと略同一の奥行寸法を有している。
【００４８】
建具ユニット７０は、ドア（第二の建具）７１と、引き戸７２と、を備えている。
ドア７１は、空間ＳＥの廊下８２側に取り付けられている。ドア７１は、廊下８２側に開くように設けられている。
【００４９】
トイレ８１の床及び天井には、空間ＳＥから収納部ＴＥまで連続して直線状に延びるレール７４が設けられている。レール７４には、引き戸７２がスライド可能に設けられている。これにより、引き戸７２は、空間ＳＥ側から収納部ＴＥ側まで移動可能とされている。引き戸７２が空間ＳＥ側に配置された閉状態では、引き戸７２は空間ＳＥを閉塞するとともに、収納部ＴＥを完全に開放している。また、引き戸７２をレール７４に沿って収納部ＴＥ側に移動させた開状態では、引き戸７２は空間ＳＥを開放するとともに、収納部ＴＥを完全に閉塞している。
【００５０】
（試験例）
以下、通行空間にドアを２枚設置した場合の遮音性能を確認した試験例について、比較例と比較しつつ説明する。
【００５１】
【表１】
2017066764.tif 000003
【００５２】
表１に示すように、比較例１，２では、通行空間にドアを１枚のみ設置している。ドアの種類は、比較例１では標準ドアであり、比較例２では防音ドアである。
【００５３】
また、試験例１〜６は、通行空間にドアを２枚設置している。
図５は、本発明の一実施形態の試験例に係るドアの構成を示す平面図である。
試験例１では、標準ドア２枚を、図５に示すＡ，Ｂの位置に配置している。つまり、各標準ドアの枠の幅が約１１３ｍｍであり、枠同士を当接させて設置している。
試験例２では、標準ドア２枚を、図５に示すＡ，Ｃの位置に配置している。つまり、各標準ドアの対向する面同士が約４５５ｍｍ離間するように設置している。
試験例３では、標準ドア２枚を、図５に示すＡ，Ｄの位置に配置している。つまり、各標準ドアの対向する面同士が約９１０ｍｍ離間するように設置している。
【００５４】
上記に示す比較例１，２、試験例１〜３において、遮音性能を確認する実験をした結果を表２及び図６に示す。
【００５５】
【表２】
2017066764.tif 000004
【００５６】
表２及び図６より、試験例１〜３の騒音レベル差は、それぞれ２６ｄＢ（Ａ），３０ｄＢ（Ａ），３０ｄＢ（Ａ）であり、比較例２の騒音レベル差３０ｄＢ（Ａ）と同等であることが分かる。つまり、標準ドア２枚を枠同士を当接させて設置したり、標準ドア２枚をドアの対向する面同士を４５５ｍｍまたは９００ｍｍ離間させるように設置した構成は、防音ドアを１枚設置する場合と同等の遮音性能を発揮している。
【００５７】
なお、上述した実施の形態において示した各構成部材の諸形状や組み合わせ等は一例であって、本発明の主旨から逸脱しない範囲において設計要求等に基づき種々変更可能である。
【００５８】
例えば、上記に示す実施形態において、通行空間の奥行寸法と利用空間の奥行寸法とは略同一とされているが、本発明はこれに限られない。引き戸が通行空間から利用空間まで連続して移動可能であれば、通行空間の奥行寸法と利用空間の奥行寸法とが異なっていてもよい。
【００５９】
また、第二の建具に、施錠可能な周知の構成の鍵（ロック機構）を設けてもよい。これにより、第二の建具には施錠可能な鍵が設けられているため、第二の建具の鍵を施錠、開錠することで、第一の空間と第二の空間との間を通行することができる。
【００６０】
また、第一の建具と第二の建具とが、例えばバー（不図示。以下同じ。）等により機械的に接続されていて、閉状態から開状態に移行する際に、連動して移動する構成であってもよい。あるいは、第一の建具と第二の建具とが、電気的に接続されていて、閉状態から開状態に移行する際に、連動して移動する構成であってもよい。第二の建具（又は第一の建具）に開く動作を検出する開検出部（不図示。以下同じ。）が設けられ、第一の建具（又は第二の建具）に開検出部からの信号を受信して第一の建具を開ける開制御部（不図示。）が設けられていてもよい。これにより、第一の建具及び第二の建具のいずれか一方を開ければ、他方も連動して開くため、両方の建具を開ける動作をする必要がないため、利便性が高い。
【００６１】
また、第一の建具と第二の建具とが、例えばバー等により機械的に接続されていて、開状態から閉状態に移行する際に、第一の建具を通行空間側に移動する動作に連動して第二の建具が通行空間を閉塞する構成であってもよい。あるいは、第一の建具と第二の建具とが、電気的に接続されていて、閉状態から開状態に移行する際に、第一の建具を通行空間側に移動する動作に連動して第二の建具が通行空間を閉塞する構成であってもよい。第一の建具に閉める動作を検出する閉検出部（不図示。以下同じ。）が設けられ、第二の建具に閉検出部からの信号を受信して第二の建具を閉める閉制御部（不図示。）が設けられていてもよい。これにより、閉状態にする際に、第一の建具のみを閉めれば第二の建具を閉める動作をする必要がないため、利便性が高い。
【００６２】
また、上記に示す実施形態において、利用空間としてクローゼットＴＡ、収納部ＴＢ，ＴＣ，ＴＤを例に挙げて説明したが本発明はこれに限られない。利用空間は、パイプスペース等適宜利用可能である。
【００６３】
また、第一の建具は、引き戸に限定されず、例えば１８０度開閉可能なドアであってもよい。通行空間を閉めた状態から、扉本体が１８０度開いて、通行空間を開放するとともに、利用空間を閉塞する構成であってもよい。
【符号の説明】
【００６４】
１…ポーチ
２…玄関
３…ホール
４，２２…トイレ
５…階段下収納
６…Ｌ・Ｄ・Ｋ
６Ａ…リビング
６Ｂ…ダイニング
６Ｃ…キッチン
７，２４，２６，２７…洋室
８…階段
９…洗面室
１０…浴室
１１…食品庫
２１…ファミリースペース
２３…シアタールーム
２５…バルコニー
２８…Ｗ・Ｉ・Ｃ
３０，４０，５０，６０，７０…建具ユニット
３１，４１，５１，６１…片引き戸（第二の建具）
７１…ドア（第二の建具）
３２Ａ，４２，５２，６２，７２…引き戸（第一の建具）
３３…戸袋
３４…レール
１００…建物
ＷＡ，ＷＢ，ＷＣ，ＷＤ，ＷＥ…壁部
ＳＡ，ＳＢ，ＳＣ，ＳＤ，ＳＥ…空間（通行空間）
Ｄ１…奥行寸法
Ｗ１…幅寸法
Ｔ１…収納空間
ＴＡ…クローゼット（利用空間）
ＴＢ，ＴＣ，ＴＤ，ＴＥ…収納部（利用空間）
ＵＡ，ＵＢ，ＵＣ，ＵＤ，ＵＥ…仕切り壁
【図１】
2017066764.tif 000005
【図２】
2017066764.tif 000006
【図３】
2017066764.tif 000007
【図４】
2017066764.tif 000008
【図５】
2017066764.tif 000009
【図６】
2017066764.tif 000010